(57)【要約】【課題】地下水熱を利用して効率の良い熱利用や熱交換を行なうことができる地下水熱交換方法と地下水熱交換装置を提供する。【解決手段】ケーシング１内を上下に分離する可動式分離装置４が井戸内のケーシング１内に上下移動可能に配設され、ケーシング１内には下部管６と上部管７が挿入される。可動式分離装置４の上側のケーシング１に上スクリーン部２が形成され、可動式分離装置４の下側のケーシング１に下スクリーン部３が形成される。ケーシング内の上側室１６からの注水量が低下してきたとき或いは定期的に、下部管６の揚水機能と上部管７の注入機能を相互に切り替え、上部管７を通して可動式分離装置４の上側のケーシング内の上側室１６から揚水する。熱利用後の地下水を、下部管６を通して可動式分離装置４の下側のケーシング内の下側室１５に注水して地中に戻すようにする。【選択図】図１
2010117081.tif 000002
【特許請求の範囲】
【請求項１】
地中に設置された１本の井戸内に上スクリーン部と下スクリーン部を有したケーシングが挿入され、該上スクリーン部と下スクリーン部内との間に可動式分離装置が上下移動可能に配設され、該可動式分離装置の上側のケーシング内に上側室が形成され、該可動式分離装置の下側のケーシング内に下側室が形成され、該ケーシング内には下部管と上部管が挿入され、該下部管の先端は該可動式分離装置の下側の下側室内に位置し、該上部管の先端は該可動式分離装置の上側の上側室内に位置し、該下部管または該上部管を通して該ケーシング内の地下水を揚水し、熱利用した後の地下水を該ケーシング内の該上部管または下部管を通して地中に戻す地下水熱交換方法であって、
該下部管または上部管を通して該下側室または上側室から揚水し、熱利用後の地下水を、該上部管または下部管を通して該上側室または下側室に注水して地中に戻しているとき、該上側室または下側室への注水量が低下してきた場合または定期的に、該下部管または該上部管の揚水機能と該上部管または下部管の注入機能を相互に切り替えて揚水・注水を行なうことを特徴とする地下水熱交換方法。
【請求項２】
前記可動式分離装置は、前記下部管または上部管を通して前記下側室または上側室から揚水する揚水量と前記上部管または下部管を通して前記上側室または下側室に注水する注水量とが、該下部管または該上部管の揚水機能と該上部管または下部管の注入機能を相互に切り替え時に変動しないように、その上下位置を移動して調整することを特徴とする請求項１記載の地下水熱交換方法。
【請求項３】
前記下側室または上側室から揚水する揚水量に比べ前記上側室または下側室に注水可能な注水量が少ない場合、該揚水量と該注入量の差分の地下水を、熱利用後に、地上に設けた浸透施設に流して地中に浸透させることを特徴とする請求項１記載の地下水熱交換方法。
【請求項４】
地中の帯水層に設置された１本の井戸内に上スクリーン部と下スクリーン部を有したケーシングが挿入され、該上スクリーン部と下スクリーン部内との間に可動式分離装置が上下移動可能に配設され、該可動式分離装置の上側のケーシング内に上側室が形成され、該可動式分離装置の下側のケーシング内に下側室が形成され、該ケーシング内には下部管と上部管が挿入され、該下部管の先端は該可動式分離装置の下側の下側室内に位置し、該上部管の先端は該可動式分離装置の上側の上側室内に位置し、該下部管または該上部管を通して該ケーシング内の地下水を揚水し、熱利用した後の地下水を該ケーシング内の該上部管または下部管を通して地中に戻す地下水熱交換装置であって、
該下部管と該上部管の地上部分に流路切替装置が、該下部管と該上部管のポンプ側または熱交換器側と井戸側を相互に切り替えるように接続され、該上部管または該下部管を通して該上側室または該下側室に注水する注水量が低下してきたとき、該下部管または該上部管の地上部を該上部管または該下部管の地上部に切り替えて接続し、該下部管または該上部管の揚水機能と該上部管または下部管の注入機能を相互に切り替えて揚水・注水を行なうことを特徴とする地下水熱交換装置。
【請求項５】
前記下部管または上部管の地上部にポンプの吸引側が接続され、該ポンプの吐出側がヒートポンプを通して前記上部管または下部管に接続され、該上部管と下部管の地上部分に前記流路切替装置が揚水と注水の流路を切替可能に接続され、該上部管と下部管の地上部には、該流路切替装置と該ヒートポンプの間に、調整弁が接続され、一方の下側室または上部室の揚水能力に比べ他方の上側室または下側室の注水能力が少ない場合、該調整弁を開き、熱利用後の地下水を、地上に設けた浸透施設に流して地中に浸透させることを特徴とする請求項４記載の地下水熱交換装置。
【請求項６】
前記流路切替装置と前記ヒートポンプの間に、スケール除去用の熱交換器が接続されたことを特徴とする請求項５記載の地下水熱交換装置。
【発明の詳細な説明】
【技術分野】
【０００１】
本発明は、１本の井戸で地下水を循環し、その間で地下水熱を利用して、冷暖房、融雪などのために、熱交換を行う地下水熱交換方法と地下水熱交換装置に関する。
【背景技術】
【０００２】
地下水の温度は、一般に一年を通して略一定であるため、揚水井を掘削し、そこから揚水した地下水を、建物の冷暖房や融雪などに利用することが、従来、行なわれている。従来のこの種の地下水熱を利用する装置では、通常、熱利用した後の地下水を河川などに放流するか、或いは２本の井戸を掘削し、一方の揚水井から地下水を揚水し、ヒートポンプまたはフリークーリングにより熱交換した後、他方の井戸に戻すように使用していた。
【０００３】
しかし、このような地下水熱交換装置は、排水費用が必要となり、或いは２本の井戸を掘削する必要があるため、設置スペースに余裕のない場合には設置することができず、また、井戸の掘削コストが高くなる問題があった。加えて、井戸内に設置されたスクリーン部の目詰まりにより、揚水量が低下したり、注水ができなくなる不具合があった。
【０００４】
そこで、従来、１本の井戸を用いて、地下水を揚水し、揚水した地下水をヒートポンプなどに供給して、熱交換を行なった後、使用後の水を再び井戸のケーシング内に戻すように使用する地下水熱交換装置が、下記特許文献１により提案されている。
【特許文献１】特開２００４−３１７１０２号公報
【発明の開示】
【発明が解決しようとする課題】
【０００５】
従来のこの種の地下水熱交換装置は、掘削した１本の井戸にケーシングを挿入し、ケーシングの下部の帯水層から揚水を行なう一方、使用後の水をケーシングの上部の透水層に戻すように構成される。このために、そのケーシングには、揚水用に下部ストレーナ部を形成すると共に、使用後の水をケーシング内に戻すために、ケーシングの上部に上部ストレーナ部を形成し、上部ストレーナ部と下部ストレーナ部の間のケーシング内に、その間を上下に遮断する仕切り板を不透水層位置に取り付けて形成されていた。
【０００６】
しかし、この仕切り板は、下部管の対応部分にフランジを溶接する一方、ケーシング内の対応位置にフランジ受け板を固定し、下部管をケーシング内に下げる際、そのフランジをフランジ受け板に当接させるようになっている。このため、新規の井戸には対応可能であるが、仕切り板の設置位置はおのずと不透水層の深度で決まり、既設の井戸では、フランジ受け板を固定することができない。
【０００７】
また、この地下水熱交換装置は、下部ストレーナ部の周囲の帯水層から下部ストレーナ部を通して揚水を行なう一方、上部ストレーナ部内に使用後の水を圧送して上部の透水層に注水して運転されるが、地下水に汚れや異物が多い場合、注水用の上部ストレーナ部に目詰まりが生じやすく、さらに、揚水を行なう下部ストレーナ部においても、地下水中の懸濁物質などにより目詰まりが生じやすく、上部または下部ストレーナ部に目詰まりが生じると、熱交換を効率よく行なうことができなくなる。
【０００８】
さらに、この種の地下水熱交換装置は不透水層深度で井戸内を分離し、下部ストレーナ部の周囲の帯水層から揚水し、上部ストレーナ部内に利用後の水を注水して、地下水の循環を行なうため、一般に能力の小さい上部の注水能力に基づき、その装置の熱交換能力が決定されるという課題があった。
【０００９】
本発明は、上述の課題を解決するものであり、地下水熱を利用して効率の良い熱利用や熱交換を行なうことができる地下水熱交換方法と地下水熱交換装置を提供することを目的とする。
【課題を解決するための手段】
【００１０】
本発明の請求項１に係る地下水熱交換方法は、
地中の帯水層に設置された１本の井戸内に上スクリーン部と下スクリーン部を有したケーシングが挿入され、該上スクリーン部と下スクリーン部内との間に可動式分離装置が上下移動可能に配設され、該可動式分離装置の上側のケーシング内に上側室が形成され、該可動式分離装置の下側のケーシング内に下側室が形成され、該ケーシング内には下部管と上部管が挿入され、該下部管の先端は該可動式分離装置の下側の下側室内に位置し、該上部管の先端は該可動式分離装置の上側の上側室内に位置し、該下部管または該上部管を通して該ケーシング内の地下水を揚水し、熱利用した後の地下水を該ケーシング内の該上部管または下部管を通して地中に戻す地下水熱交換方法であって、
該下部管または上部管を通して該下側室または上側室から揚水し、熱利用後の地下水を、該上部管または下部管を通して該上側室または下側室に注水して地中に戻しているとき、該上側室または下側室への注水量が低下してきた場合或いは定期的に、該下部管または該上部管の揚水機能と該上部管または下部管の注入機能を相互に切り替えて揚水・注水を行なうことを特徴とする。
【００１１】
ここで、定期的にとは、冷暖房の切り替え時、或いは一月毎などを含む概念である。
【００１２】
この発明によれば、可動式分離装置の下側の下側室または上側の上側室から揚水していたときに生じた下スクリーン部または上スクリーン部の目詰まりが、下側室または上側室の地下水の逆流により解消され、可動式分離装置の上側の上側室または下側の下側室から注水していたときに生じた上スクリーン部または下スクリーン部の目詰まりが、上側室または下側室の地下水の逆流により解消される。このため、このような地下水の逆流によるスクリーン部の逆洗を、定期的にまたは注水量の低下時などに行なうことにより、地下水熱利用の最大化を図り、地下水熱の利用を効率よく行なうことができる。
【００１３】
また、請求項２の発明は、請求項１の地下水熱交換方法において、上記可動式分離装置は、上記下部管または上部管を通して前記下側室または上側室から揚水する揚水量と、前記上部管または下部管を通して前記上側室または下側室に注水する注水量とが、相互の流路切り替え時に同量となるように、その上下位置を移動して調整することを特徴とする。
【００１４】
この発明によれば、１本の井戸の下部から揚水する揚水量と上部に注水する注水量を同じにすることにより、地下水熱の利用の最適化を図ることができる。
【００１５】
また、請求項３の発明は、請求項１の地下水熱交換方法において、上記下側室または上側室から揚水する揚水量に比べ前記上側室または下側室に注水可能な注水量が少ない場合、該揚水量と該注入量の差分の地下水を、熱利用後に、地上に設けた浸透施設に流して地中に浸透させることを特徴とする。
【００１６】
この発明によれば、その井戸における最大の揚水能力で揚水を行なうと共に、揚水した地下水の全量を地盤に還元し、地下水熱の熱利用効率を可能な限り高くすることができる。
【００１７】
一方、本発明の請求項４に係る地下水熱交換装置は、
地中の帯水層に設置された１本の井戸内に上スクリーン部と下スクリーン部を有したケーシングが挿入され、該上スクリーン部と下スクリーン部内との間に可動式分離装置が上下移動可能に配設され、該可動式分離装置の上側のケーシング内に上側室が形成され、該可動式分離装置の下側のケーシング内に下側室が形成され、該ケーシング内には下部管と上部管が挿入され、該下部管の先端は該可動式分離装置の下側の下側室内に位置し、該上部管の先端は該可動式分離装置の上側の上側室内に位置し、該下部管または該上部管を通して該ケーシング内の地下水を揚水し、熱利用した後の地下水を該ケーシング内の該上部管または下部管を通して地中に戻す地下水熱交換装置であって、
該下部管と該上部管の地上部分に流路切替装置が、該下部管と該上部管のポンプ側または熱交換器側と井戸側を相互に切り替えるように接続され、該上部管または該下部管を通して該上側室または該下側室に注水する注水量が低下してきたとき或いは定期的に、該下部管または該上部管の地上部を該上部管または該下部管の地上部に切り替えて接続し、該下部管または該上部管の揚水機能と該上部管または下部管の注入機能を相互に切り替えて揚水・注水を行なうことを特徴とする。
【００１８】
この発明によれば、通常運転時に可動式分離装置の下側の下側室または上側の上側室から揚水していたときに生じた下スクリーン部または上スクリーン部の目詰まりが地下水の逆流により解消され、可動式分離装置の上側の上側室または下側の下側室に注水していたときに生じた上スクリーン部または下スクリーン部の目詰まりが地下水の逆流により解消される。このため、このような地下水の逆流によるスクリーン部の逆洗を定期的にまたは自動的に行なうことにより、地下水熱利用の最大化を図り、地下水熱の利用を効率よく行なうことができる。
【００１９】
請求項５の発明は、請求項４の地下水熱交換装置において、上記下部管または上部管の地上部にポンプの吸引側が接続され、該ポンプの吐出側がヒートポンプを通して前記上部管または下部管に接続され、該上部管と下部管の地上部分に前記流路切替装置が揚水と注水の流路を切替可能に接続され、該上部管と下部管の地上部には、該流路切替装置と該ヒートポンプの間に、調整弁が接続され、一方の下側室または上部室の揚水能力に比べ他方の上側室または下側室の注水能力が少ない場合、該調整弁を開き、熱利用後の地下水を、地上に設けた浸透施設に流して地中に浸透させることを特徴とする。
【００２０】
この発明によれば、井戸の持つ最大の揚水能力で揚水を行なうと共に、揚水した地下水の全量を地盤に還元し、地下水熱の熱利用効率を可能な限り高くすることができる。
【００２１】
請求項６の発明は、請求項５の地下水熱交換装置において、上記流路切替装置とヒートポンプの間に、スケール除去用の熱交換器が接続されたことを特徴とする。
【００２２】
この発明によれば、地下水の水質が悪い場合、熱交換器内を通すことにより、地下水中の懸濁物質などを、熱交換器内に、スケールとして付着させ、定期的に熱交換器内を洗浄して、ヒートポンプなどのパイプ内表面へのスケールの付着を防止することができる。
【発明の効果】
【００２３】
本発明の地下水熱交換方法と地下水熱交換装置によれば、下側室の下スクリーン部の目詰まり、或いは上側室の上スクリーン部の目詰まりが、地下水の逆流により解消され、地下水の逆流によるスクリーン部の逆洗を、定期的にまたは注水量の低下時などに行なうことにより、地下水熱利用の最大化を図り、地下水熱を利用して効率の良い熱利用や熱交換を行なうことができる。
【発明を実施するための最良の形態】
【００２４】
以下、本発明の一実施形態を図面に基づいて説明する。図１は地下水熱交換装置の断面説明図を示している。地中に、地下水熱利用のための１本の井戸が設置される。井戸は地中の複数の帯水層に達する深さまで掘削された掘削井に、パイプ状のケーシング１を打設・挿入して設置される。パイプ状のケーシング１には、その下部に下スクリーン部３が、多数の細いスリット或いは丸孔を設けて形成され、下スクリーン部３の上方にも上スクリーン部２が、同様な構造で形成されている。
【００２５】
上スクリーン部２と下スクリーン部３は、その間に通常のパイプ部を配置して上下に分離された形態で設けられるが、上下に連続して設けることもできる。ケーシング１内における上スクリーン部２内には後述の上側室１６が形成され、下スクリーン部３内には後述の下側室１５が形成されるが、その上側室１６と下側室１５の間には、上側室１６と下側室１５を隔壁状に分離する可動式分離装置４が上下移動（昇降）可能に配設される。
【００２６】
可動式分離装置４は、ケーシング１の内部に、例えば膨張可能なパッカー４ａを密着可能に配設して構成される。パッカー４ａは、例えばゴムまたはゴム状弾性体などにより風船状に形成され、圧送用チューブ５により内部に空気などの流体を圧送して、その外径を膨張させ、内部の流体を抜くことにより、収縮させる。また、可動式分離装置４のパッカー４ａは、下部管６に接続され、接続位置を上下させることにより、パッカー４ａの上下位置を調整可能としている。
【００２７】
パッカー４ａは、図１のように、ケーシング１内の下側室１５と上側室１６との間に密着し、ケーシング１内の下側室１５と上側室１６との間を分離する。つまり、可動式分離装置４の上側に上側室１６が形成され、可動式分離装置４の下側に下側室１５が形成される。一方、収縮した状態のパッカー４ａは、下部管６との接続位置を上方にまたは下方に調整し、上側室１６と下側室１５の分離位置を上下に変えるようになっている。
【００２８】
なお、可動式分離装置４は、上記のようなパッカー４ａを用いる他、プラスチック製などの円柱体をケーシング１内に上下摺動可能に挿入して構成することもできる。
【００２９】
可動式分離装置４のパッカー４ａは、ケーシング１内の下側室１５と上側室１６を分離するものであるが、地中においては、下側室１５及び上側室１６共に帯水層２１内に配置される。
【００３０】
さらに、ケーシング１内には、揚水と注水を行なう下部管６と上部管７が挿入され、下部管１５は、可動式分離装置４を貫通し、下部管６の開口先端は、ケーシング１内下部の下側室１５に位置し、上部管７の開口先端は、ケーシング１内上部の上側室１６に位置するように、挿入されている。下部管６と上部管７は、相互に揚水管または注水管として、切り替えて動作するように使用され、下部管６が揚水を行なう場合、上部管７は注水を行なう注水管となり、上部管７が揚水を行なう場合、下部管６が注水管となる。
【００３１】
図１に示すように、下部管６と上部管７の地上部分は流路切替装置９に接続され、流路切替装置９の他方の側にポンプ８とヒートポンプ１１が管路により接続される。つまり、下部管６の地上部分は、流路切替装置９を介してポンプ８の吸入側に管路で接続され、ポンプ８の運転時、下部管６を通して下側室１５の地下水を揚水し、または上部管７を通して上側室１６の地下水を揚水する。
【００３２】
流路切替装置９は、ポンプ８に接続される吸入側の管路を下部管６と上部管７との間で切り替えると共に、注水用に接続される管路（ポンプ８の吐出側にヒートポンプ１１と調整弁１０を介して接続される管路）を、上部管７と下部管６との間で切り替えるように構成されている。
【００３３】
ポンプ８は、地下水を揚水すると共に、熱利用した後の地下水を地中に注水するためのポンプで、ポンプ８の吐出側は、ヒートポンプ１１に管路で接続される。そして、ヒートポンプ１１の吐出側は調整弁１０を介して流路切替装置９の入口ポートに接続される。流路切替装置９の出口ポートには上記のポンプの吸入側が管路で接続され、流路切替装置９の２個の切替ポートに、上記下部管６と上部管７が切替可能に接続される。
【００３４】
調整弁１０は、上側室１６または下側室１５への注水量が下側室１５または上側室１６からの揚水量より少ない場合、揚水量と注水量の差分を、熱利用した後の地下水の一部として浸透施設２４に流すように調整する弁である。
【００３５】
ケーシング１に地上部の近傍には、水を地下に浸透させるための浸透施設２４が排水枡のような形態で形成され、調整弁１０により地下水の一部が排水されたとき、その地下水を浸透施設２４に流し、地下に浸透させるようになっている。ポンプ８の吐出側が接続されるヒートポンプ１１は、地下水熱を利用する冷房用または暖房用に使用されるヒートポンプであり、取り入れた地下水熱を、ヒートポンプの冷媒との間で熱交換する。
【００３６】
なお、浸透施設２４は、要求される揚水能力と注水能力を有し、ヒートポンプの熱交換能力を満足する場合、調整弁１０を含めて不要な施設であり、必ずしも必要とするものでない。
【００３７】
次に、上記構成の地下水熱交換装置を使用して行なう地下水熱交換方法について説明する。１本の井戸を使用するこの地下水熱交換装置は、図１、図２に示すように、地中の帯水層２１から地下水の揚水と注水を、可動式分離装置４を上下に挟んだ上側室１６と下側室１５との間で、相互に切り替えながら行なう。
【００３８】
このために、地下水熱交換装置のケーシング１は、地中における帯水層２１に、ケーシング１の上スクリーン部２（上側室１６）と、可動式分離装置４を介して上側室１６の下側に、下スクリーン部３（下側室１５）を配置するように、設置される。
【００３９】
また、この地下水熱交換装置では、下部管６を揚水管または注水管として切り替え、上部管７を注水管または揚水管として切り替えて使用し、下側室１５を揚水部または注水部として切り替え、上側室１６を注水部または揚水部として切り替えて使用するため、注水部と揚水部を切り替えた場合でも、その揚水量と注水量に変化が生じないように、可動式分離装置４の深度を決定し、下側室１５と上側室１６を設置することが、地下水熱を長期間安定して利用するために必要となる。
【００４０】
このため、ケーシング1内における可動式分離装置４の位置は、地層状況や帯水層厚、ストレーナ位置、および事前の揚水試験や注水試験などで決定される。そして、可動式分離装置４の上下一方の揚水部から揚水し、地下水熱利用後、他方の注水部に戻すように地下水を循環させ、その際、最適な地下水熱利用が可能な循環水量となるように、可動式分離装置４の上下位置が決定される。
【００４１】
このようにして決定された可動式分離装置４の位置で、地下水熱交換装置の運転が行われ、このような運転時、図１、図２に示すように、ポンプ８の動作により、下部管６または上部管７を通してケーシング１内下部の下側室１５または上部の上側室１６から、地下水を揚水し、地上のポンプ８からヒートポンプ１１に送って、熱交換つまり熱利用を行なう。
【００４２】
ヒートポンプ１１では、例えば、夏季において、外気温より低い温度の地下水により冷媒を冷却して室内などを冷房し、冬季には外気温より高い温度の地下水により冷媒を暖めて暖房する。そして、熱利用した後の地下水は、調整弁１０、流路切替装置９を通して、上部管７または下部管６に送られ、ケーシング１内上部の上側室１６または下部の下側室１５に注水し、地下水を地中に戻すように運転される。
【００４３】
上記のような地下水循環の運転は、基本的には、定期的に例えば冷暖房の切り替え時に、揚水と注水を、下部管６または上部管７（下側室１５と上側室１６）との間で相互に切り替えて、実施される。このため、ケーシング１の下部の下スクリーン部３または上部の上スクリーン部２に、地下水中の懸濁物質などは溜まりにくく、スクリーン部における目詰まりは生じにくくなる。
【００４４】
ところで、同じ井戸においては、揚水量（揚水能力）と注水量（注水能力）が同じになることは少なく、通常、揚水量（揚水能力）が注水量（注水能力）に比べて多く、注水量は揚水量より少なくなり、地下水熱利用の循環水量は、この小さい注水量の範囲内で行なわれることとなる。
【００４５】
このような場合、調整弁１０を調整して、そこから地下水の一部を浸透施設２４に排水するようにし、揚水量から注水量を差し引いた量の地下水を、浸透施設２４に流す。これにより、揚水量と注水量の差分の地下水は浸透施設２４から地中に浸透し、揚水量と注水量を合わせるように、地下水熱交換装置の運転が行なわれる。これにより、注水量（注水能力）が実質的に増大し、最大揚水量（最大揚水能力）まで熱利用を行なうことが可能となる。
【００４６】
一方、水循環の切替期間が比較的長く、定期的な揚水と注水の切り替え時期の前に、ケーシング１の下スクリーン部３または上スクリーン部２に、帯水層２１の地下水中の懸濁物質などが溜まって、目詰まりが生じた場合、揚水量（揚水能力）及び注水量（注水能力）が低下してくる。
【００４７】
このような場合、これらの揚水量または注水量が予め設定された設定値より低下したとき、揚水と注水を下部管６または上部管７（下側室１５と上側室１６）との間で相互に切り替えて逆洗運転を行なう。
【００４８】
この逆洗運転は、流路切替装置９を切り替え操作して行ない、流路切替装置９を切り替えると、図１または図２に示すように、ポンプ８の吸入側が上部管７または下部管６に接続され、ポンプ８の吐出側つまり調整弁１０の出口ポート側が下部管６または上部管７に接続されるように切り替えられる。このため、ポンプ８の運転により、図１または図２の如く、ケーシング１内上部の上側室１６から上部管７を通して、または下側室１５から下部管６を通して揚水が行なわれ、ケーシング１内下部の下側室１５から下部管６を通して、または上側室１６から上部管７を通して注水が行なわれる。これにより、ケーシング１の上スクリーン部２と下スクリーン部３では、それまでとは逆方向に地下水が流れ、その水流により、下スクリーン部３に溜まった帯水層２１の地下水中の懸濁物質など除去されて目詰まりが解消され、ケーシング１の上部の上スクリーン部２に溜まった懸濁物質などが除去されてその目詰まりが解消される。
【００４９】
このように、上記構成の地下水熱交換装置を用いた地下水熱交換方法によれば、下側室１５の下スクリーン部３の目詰まり、上側室１６の上スクリーン部２の目詰まりが、地下水の逆流により解消され、地下水の逆流によるスクリーン部の逆洗を、定期的にまたは上側室１６または下側室１５への注水量の低下時などに行なうことにより、地下水熱利用の最大化を図り、地下水熱を利用して効率の良い熱利用や熱交換を行なうことができる。
【００５０】
また、調整弁１０の調整によって、揚水した地下水の一部を浸透施設２４に排水するようにし、揚水量から注水量を差し引いた量の地下水を、浸透施設２４に流すことにより、注水量（注水能力）を実質的に増大させ、最大揚水量（最大揚水能力）まで熱利用を行なうことができる。
【００５１】
なお、地下水の水質が悪い場合、ヒートポンプ１１内の熱交換用流路などにスケールが堆積し、熱交換の効率が低下する。このような場合、図３に示すように、ヒートポンプ１１の前段にスケール除去用の熱交換器１２を設置して、熱交換器の熱交換用フィンの表面などにスケールを付着させて、地下水中のスケール成分を除去することができる。
【００５２】
また、上記実施形態では、地下水熱をヒートポンプ１１に利用したが、ヒートポンプの他、地下水熱を直接融雪に利用し、或いは地下水熱を冷房に直接使用するフリークーリングにも利用することができる。
【図面の簡単な説明】
【００５３】
【図１】本発明の一実施形態を示す地下水熱交換装置の断面説明図である。
【図２】逆洗運転時の地下水熱交換装置の断面説明図である。
【図３】他の実施形態を示す地下水熱交換装置の断面説明図である。
【符号の説明】
【００５４】
１      ケーシング
２      上スクリーン部
３      下スクリーン部
４      可動式分離装置
５      圧送用チューブ
６      下部管
７      上部管
８      ポンプ
９      流路切替装置
１０      調整弁
１１    ヒートポンプ
１２    熱交換器
１５    下側室
１６    上側室
２１    帯水層
２４    浸透施設
【図１】
2010117081.tif 000003
【図２】
2010117081.tif 000004
【図３】
2010117081.tif 000005